(57)【要約】【課題】携帯情報端末の表示部では、画像全体が容易に把握できないという不都合や、複数のアプリケーションを起動していても画面遷移が必ず伴い、作業効率が悪いという問題を解消する。【解決手段】画像データを表示する表示部１４を備え、該表示部１４に同時に表示できないサイズの画像データを送信する通信手段１３を備える携帯情報端末２と、携帯情報端末２から送信された画像データを同時に表示可能な表示画面１１を備える表示装置１と、を有し、表示装置１は、携帯情報端末２から送信された画像データを受信する通信手段８と、画像データを記憶する記憶手段９と、表示画面１１上に画像データに表示領域を割り当てて、表示領域の位置及びサイズを設定する表示制御手段１０と、を備える。【選択図】図２
2008244555.tif 000002
【特許請求の範囲】
【請求項１】
画像データを表示する表示部を備え、該表示部に同時に表示できないサイズの画像データを送信する通信手段を備える携帯情報端末と、
前記携帯情報端末から送信された前記画像データを同時に表示可能な表示画面を備える表示装置と、を有し、
前記表示装置は、
前記携帯情報端末から送信された前記画像データを受信する通信手段と、
前記画像データを記憶する記憶手段と、
前記表示画面上に前記画像データに表示領域を割り当てて、該表示領域の位置及びサイズを設定する表示制御手段と、を備えることを特徴とする表示システム。
【請求項２】
前記表示制御手段の制御により、複数のアプリケーションでそれぞれ表示される複数の画像データが複数の前記表示領域にそれぞれ割り当てられて表示されることを特徴とする請求項１に記載の表示システム。
【請求項３】
前記表示制御手段の制御により、前記携帯情報端末の表示部をスクロールすることにより表示可能な画像データまたは前記携帯情報端末の表示部に複数頁の切り替えにより表示可能な画像データが１つの前記表示領域に割り当てられて表示されることを特徴とする請求項１又は２に記載の表示システム。
【請求項４】
前記表示装置は、更に放送受信手段を備え、
前記表示制御手段は、前記放送受信手段により受信した放送映像と同時に、前記携帯情報端末から送信される前記複数の画像データを前記表示画面に表示することを特徴とする請求項１〜３の何れかに記載の表示システム。
【請求項５】
前記表示画面に表示される画像のサイズを変換して前記表示画面に表示することを特徴とする請求項１〜４の何れかに記載の表示システム。
【請求項６】
携帯情報端末の表示部に同時に表示できないサイズの画像データを表示可能な表示画面と、
前記携帯情報端末から送信された前記画像データを受信する通信手段と、
前記通信手段により受信した前記画像データを記憶する記憶手段と、
前記表示画面上に前記画像データを表示する表示領域の位置及びサイズを設定する表示制御手段と、を備えることを特徴とする表示装置。
【請求項７】
前記表示制御手段は、複数のアプリケーションでそれぞれ表示される複数の画像データを複数の前記表示領域にそれぞれ割り当てることを特徴とする請求項６に記載の表示装置
。
【請求項８】
前記表示制御手段の制御は、前記携帯情報端末の表示部をスクロールすることにより表示可能な画像データまたは前記携帯情報端末の表示部に複数頁の切り替えにより表示可能な画像データを１つの前記表示領域に割り当てることを特徴とする請求項６又は７に記載の表示装置。
【請求項９】
更に放送受信手段を備え、
前記表示制御手段は、前記放送受信手段により受信した放送映像と同時に、前記携帯情報端末から送信される画像データを前記表示画面に表示することを特徴とする請求項６〜８の何れかに記載の表示装置。
【請求項１０】
前記表示画面に表示される画像のサイズを変換して前記表示画面に表示することを特徴とする請求項６〜９の何れかに記載の表示装置。
【発明の詳細な説明】
【技術分野】
【０００１】
本発明は、携帯情報端末から送信された画像データを受信して表示する表示システムおよび表示装置に関する。
【背景技術】
【０００２】
携帯電話等の携帯情報端末は、単なる通話に止まらずインターネットへの接続、電子メールの交換、画像の交換、音楽などの配信等で利用する機器として広く利用されている。
また、携帯電話等の携帯情報端末は、画像データの表示が可能な固定画素により構成された液晶ディスプレイや有機ＥＬディスプレイなどのよる表示部を備えおり、より多くの情報を表示させるべく、最近の携帯電話等では、ＱＶＧＡサイズ（２４０ドット×３２０ドット）表示が可能なディスプレイが使用されている。
また、携帯情報端末は、携帯に便利なように、本体の小型化、薄型化が進んでいる。このため、携帯には便利となっているが、見やすくするための表示部の大型化には限度がある。このため、大画面の外付け表示装置を取り付けた携帯電話端末（例えば、特許文献１参照）などがある。
【特許文献１】特開２００３‐２７３９８２号公報
【発明の開示】
【発明が解決しようとする課題】
【０００３】
ところで、携帯情報端末の機能の複雑化や処理できる情報量の増大が急速に進んでいる。ところが、大量のデータを見るための表示部の大型化は困難であるため、表示部をスクロールすることによりデータを見るようにしたり、複数頁の切り替えによりデータを見るようにしたりしている。このため、携帯情報端末の表示画面では、画像の全体が把握できないという不都合がある。
【０００４】
また、携帯情報端末では、複数のアプリケーションでそれぞれ表示される複数の画像データは、一度に表示することができず、画面遷移によって表示するようにしている。
このため、複数のアプリケーションを起動していても画面遷移が必ず伴い、非常に作業効率が悪い。
【０００５】
前記特許文献１のように、大画面の外付け表示装置を取り付けた携帯電話端末は、単に画像を大きく表示させるのみであり、スクロールや頁の切り替えを解消することは困難である。また、携帯情報端末において複数のアプリケーションを起動した場合に、各アプリケーションの表示画像を同時に表示して、表示位置やサイズを自由に設定して各アプリケーションを同時に処理することも困難である。
【０００６】
本発明が解決しようとする課題としては、携帯情報端末の表示画面では、画像全体が容易に把握できないという不都合や、複数のアプリケーションを起動していても画面遷移が必ず伴い、作業効率が悪いという問題を解消することができる表示システムおよび表示装置の提供が一例として挙げられる。
【課題を解決するための手段】
【０００７】
上記課題を解決するために、請求項１に記載の表示システムは、画像データを表示する表示部を備え、該表示部に同時に表示できないサイズの画像データを送信する通信手段を備える携帯情報端末と、前記携帯情報端末から送信された前記画像データを同時に表示可能な表示画面を備える表示装置と、を有し、前記表示装置は、前記携帯情報端末から送信された前記画像データを受信する通信手段と、前記画像データを記憶する記憶手段と、前記表示画面上に前記画像データに表示領域を割り当てて、該表示領域の位置及びサイズを設定する表示制御手段と、を備えることを特徴とする。
【０００８】
また、請求項６に記載の表示装置は、携帯情報端末の表示部に同時に表示できないサイズの画像データを表示可能な表示画面と、前記携帯情報端末から送信された前記画像データを受信する通信手段と、前記通信手段により受信した前記画像データを記憶する記憶手段と、前記表示画面上に前記画像データを表示する表示領域の位置及びサイズを設定する表示制御手段と、を備えることを特徴とする。
【発明を実施するための最良の形態】
【０００９】
以下に、本発明の実施の形態に係る表示システムおよび表示装置を、図面を参照して説明する。
図１は、本実施の形態に係る表示システムの構成（ａ）と他の構成（ｂ）を示す構成図である。図２は、本発明の実施の形態に係る表示システムの機能ブロック図である。
【００１０】
図１において、本実施の形態に係る表示システムＡは、表示装置１と、携帯情報端末２とから構成されている。表示装置１と携帯情報端末２とが有線で接続される場合には、図１（ａ）に示すように、これらを専用ケーブル３で接続するための専用の端子４、５が装備されている。
【００１１】
一方、表示装置１と携帯情報端末２とが無線にて接続される場合には、例えば、図１（ｂ）に示すように、双方向で情報を光で送受信するための送受光部６、７がそれぞれ装備されている。
【００１２】
表示装置１は、プラズマディスプレイのような大型画面を有するテレビ受信機などの機器であり、本体内に通信手段８と、記憶手段９と、表示制御手段１０と、表示画面１１と、を備えている。
【００１３】
通信手段８は、携帯情報端末２から有線（図１（ａ））または無線（図１（ｂ））で送信される画像データを受信するように機能する。
【００１４】
記憶手段９は、通信手段８で受信した画像データを記憶する画像メモリ等である。
図２に示すように、表示制御手段１０は、表示領域サイズ設定手段１０ａと、表示領域位置設定手段１０ｂとを備えており、予め設定された、或いは、指定された表示画面の所定の位置及び所定のサイズの表示領域に、記憶手段９に記憶された画像データを、表示させるように制御する。
表示画面１１は、画像データが表示される表示装置１の画面である。
【００１５】
一方、携帯情報端末２は、例えば携帯電話に代表されるような通信機器であり、画像メモリ１２と、通信手段１３と、表示部１４とを備える。なお、図示しないが、この携帯情報端末２には、電話番号等の数値や文字を入力する文字入力部兼用のテンキー部や機能キーのほか、各種情報の処理回路、マイク、スピーカなどを備えている。
【００１６】
画像メモリ１２は、ユーザがブラウザ上で指定または選択して立ち上げた１または複数のアプリケーション対応の画像を記憶するように機能する。例えば、テレビ画像、テレビ電話、アプリケーション、メール作成フォーム、過去メール等に関する画像データをそれぞれ記憶するように機能する。
【００１７】
通信手段１３は、画像メモリ１２に保持された画像データを専用の端子５、ケーブル３および端子４をそれぞれ介して表示装置１の通信手段８へ送信するように機能する。
【００１８】
前述のように、本実施の形態に係る表示システムＡは、表示装置１と携帯情報端末２とから構成されている。そして、携帯情報端末２は、通常の携帯電話と同様の機能を持ち、表示部１４内に表示されたキーの選択操作によって、複数のアプリケーションを順次起動した場合には、複数の画像をその表示部に１頁毎に表示可能である。あるいは、１つのアプリケーションで複数の頁が存在する場合も同様に、表示部に１頁毎に表示可能である。
【００１９】
図３は、本発明の実施の形態に係る表示システムの表示領域の配置例を示す図である。
複数のアプリケーションを起動した場合には、例えば図３に示すように、直近に起動されたアプリケーション対応の画像Ｐが表示され、この画像Ｐの裏側に仮想的に存在し、その直前に起動されたアプリケーション対応の仮想上の画像Ｑ、さらにその前に起動されたアプリケーション対応の仮想上の画像Ｒ、Ｓは、画像Ｐにそれぞれ隠れて見えない。各画像Ｑ、Ｒ、Ｓを見るためには、図示を省略した画像切換えキーを順次操作することにより、隠れた各１頁分の画像を選択的に表示部１４に表示させることができる。
なお、１つのアプリケーションで複数の頁が存在する場合も同様である。
【００２０】
次に、本実施の形態に係る表示システムＡの動作について図１〜３を参照しながら説明する。
まず、表示装置１および携帯情報端末２の各端子４、５に専用ケーブル３を接続し、表示装置１および携帯情報端末２を起動する（または、起動後に接続してもよい）。
次に、携帯情報端末２のアプリケーション選択キーの操作を行う。これにより、ユーザは表示したいアプリケーションを任意に選択して立ち上げることができ、このアプリケーションによる表示部１４への画像出力である画像データＰが画像メモリ１２に格納され、表示部１４に表示される。
【００２１】
また同時に、この画像データＰは、各端子４、５及び専用ケーブル３を介して表示装置１の通信手段８に送信される。通信手段８で受信した画像データＰは記憶手段９に入力される。
【００２２】
携帯情報端末２において、アプリケーションを立ち上げる毎に、表示装置１への画像データＱ、Ｒ、Ｓの送信が同様に行われる。
【００２３】
最初に携帯情報端末２で立ち上げられたアプリケーションの画像データＰは、表示領域サイズ設定手段１０ａにより、その画素数に応じた表示サイズ（画素数）の表示領域が割り当てられ、表示領域位置設定手段１０ｂにより表示画面１１上に設定された位置に表示領域１１ａが設定される。
【００２４】
そして、表示制御手段１０の制御によって、記憶手段９に記憶された画像データＰが出力され、表示画面１１上の表示領域１１ａに画像データＰが表示される。
【００２５】
以降、立ち上げられた各アプリケーションの画像データＱ、Ｒ、Ｓは、同様にして表示領域がそれぞれ割り当てられ、表示領域位置設定手段１０ｂにより表示画面１１上に設定されたそれぞれの表示領域１１ｂ、１１ｃ、１１ｄに表示される。
このようにして、表示画面１１の所定の位置に各アプリケーションの各画像データＰ、Ｑ、Ｒ、Ｓが表示される。
【００２６】
図３は表示画面１１の一表示例を示したものであり、携帯情報端末２から送信された各アプリケーション対応の画像データＰ、Ｑ、Ｒ、Ｓが、表示装置１における大型の表示画面１１の略左半分に４つの領域に分けて表示された場合を示したものである。また、表示画面１１の略右半分には、プラズマテレビとして本来表示する動画映像Ｔが表示されている。
【００２７】
なお、各表示領域１１ａ、１１ｂ、１１ｃ、１１ｄの表示位置は、表示領域位置設定手段１０ｂにより任意の位置に設定が可能であり、図３とは異なる位置や配置で設定することも可能である。また、各画像データＰ、Ｑ、Ｒ、Ｓを表示中でも、各表示領域１１ａ、１１ｂ、１１ｃ、１１ｄの表示位置は、表示領域位置設定手段１０ｂにより設定し直して変えることもできる。
【００２８】
図３の表示領域の配置例では、例えば、携帯情報端末２の表示部の画素構成が縦３２０ドット×横２４０ドット、表示装置１の表示画面１１の画素構成が縦７２０ドット×横１２８０ドットの場合、画像データＰ、Ｑ、Ｒ、Ｓはそれぞれ、縦３２０ドット×横２４０ドットであるので、画像データＰ、Ｑ、Ｒ、Ｓの合計サイズは縦６４０ドット×横４８０ドットであり、動画映像Ｔは表示画面１１の残りの領域（縦７２０ドット×横８００ドット）内のサイズ（例えば、ＳＶＧＡ：縦６００ドット×横８００ドット）で表示可能である。
【００２９】
次に、具体的なアプリケーションの表示例を図４に示す。図４において、図３における画像データＰがテレビ電話の画像、画像データＱがメール作成フォームの画像、画像データＲが他のアプリケーションの画像、画像データＳが過去メールの参照画像、動画映像Ｔがテレビ放送を受信して表示されるテレビ映像である場合を示している。
【００３０】
このように複数のアプリケーションの画像（複数頁）を一度に表示可能になるため、ユーザは表示を見ながら容易にそれぞれのタスクを選択できることで操作性の向上を図ることができる。例えば、メール文を作成するときに、過去にやり取りしたメール文や画像等を参照したり引用したりすることが容易にできる。また、撮り貯めた写真を表示しながら絵文字を検索したり、現在のパケット料金を計算しながら、テレビ電話をしたりすることも可能である。さらに、これらを行いながらテレビ放送を視聴することもできる。
【００３１】
次に、本実施の形態に係る表示システムＡの他の動作例として、携帯情報端末２から送信される画像データが表示部１４をスクロールすることにより表示可能な画像データの場合の動作について図５及び図６を参照して説明する。
【００３２】
本実施の形態に係る表示システムＡに対し、前述の動作例と同様に、まず、表示装置１および携帯情報端末２の各端子４、５に専用ケーブル３を接続し、表示装置１および携帯情報端末２を起動する（または、起動後に接続してもよい）。
【００３３】
次に、携帯情報端末２のアプリケーション選択キーの操作を行い、表示したいアプリケーションを選択して立ち上げると、表示部１４への画像出力である画像データＷが画像メモリ１２に格納され、表示部１４に表示される。
【００３４】
本動作例の場合は、立ち上げたアプリケーションにより表示された画像が横に長く連続する画像データＷである。携帯情報端末２の表示部１４は小型であるため、例えば横に長く連続する画像データＷを表示部１４に表示しようとすると、図５に示すように、その一部のみしか表示することができない。
【００３５】
このため、携帯情報端末２の表示部１４で画像データＷの全てを見るためには、この画像データＷをスクロールさせて、表示部１４に画像データＷの各部分を順に表示させていき、画像データＷの全体を把握するようにしなければならない。
【００３６】
また同時に、この画像データＷは、各端子４、５及び専用ケーブル３を介して表示装置１の通信手段８に送信される。通信手段８で受信した画像データＷは記憶手段９に入力される。
【００３７】
この画像データＷは、表示領域サイズ設定手段１０ａにより、その画素数に応じた表示サイズ（画素数）の表示領域が割り当てられ、表示領域位置設定手段１０ｂにより表示画面１１上に設定された位置に表示領域１１ｅが設定される。
【００３８】
そして、表示制御手段１０の制御によって、記憶手段９に記憶された画像データＷが出力され、表示画面１１上の表示領域１１ｅに画像データＷが表示される。
【００３９】
表示装置１の表示画面１１は、携帯情報端末２の表示部１４よりも表示画素数が多いので、画像データＷの横方向の画素数が表示画面１１の横方向の画素数以内であれば、図５に示すように、画像データＷの画像全体を一度に視野に入れて把握することができる。
【００４０】
あるいは、図６に示すように、縦長に連続する画像のため、携帯情報端末２の表示部１４にはその一部しか表示できない場合でも、図５の場合と同様にして、表示装置１に画像データＸのデータを送信すれば、画像データＸの縦方向の画素数が表示画面１１の縦方向の画素数以内であれば、表示領域１１ｆに画像データＸを表示して、画像全体を一度に視野に入れて把握することができる。
【００４１】
なお、前述のように携帯情報端末２で立ち上げたアプリケーションごとに得られた複数の画像やテレビ画像は、表示領域サイズ設定手段１０ａや表示設定手段１０ｂの制御によって、表示領域のサイズや配置・位置を変えることができるほか、既存の画像サイズ変換ソフトウェア等の画像サイズ変換技術を利用して画像データそのもののサイズを変えることも可能である。
【００４２】
例えば、図７（ａ）に示すように、テレビの放送波の画面の縦横比は、４：３や１６：９に限定されているが、画像サイズ変換の指示を行うことによって、図７（ｂ）に示すようにサイズを変更することも可能である。これにより、画像の大きさを変化させることも可能である。
【００４３】
さらに、デジタルカメラ等で撮影した画像（JPEG形式等の静止画像）などを表示する場合は、既存のピクチャー表示用ソフトウェアを等の技術を利用して、自由にサイズを変えることも可能である。これにより、表示画面１１において、表示領域が設定されていない空いた領域を利用して様々な画像を自由に配置することも可能である。
【００４４】
以上詳述したように、本発明の実施の形態に係る表示システムは、画像データを表示する表示部１４を備え、該表示部１４に同時に表示できないサイズの画像データを送信する通信手段１３を備える携帯情報端末２と、携帯情報端末２から送信された画像データを同時に表示可能な表示画面１１を備える表示装置１と、を有し、表示装置１は、携帯情報端末２から送信された画像データを受信する通信手段８と、画像データを記憶する記憶手段９と、表示画面１１上に画像データに表示領域１１ａ，１１ｂ，１１ｃ，１１ｄ，・・・を割り当てて、表示領域１１ａ，１１ｂ，１１ｃ，１１ｄ，・・・の位置及びサイズを設定する表示制御手段１０と、を備える構成である。
【００４５】
これにより、携帯情報端末２の表示部１４では、画像全体が容易に把握できないという不都合や、複数のアプリケーションを起動していても画面遷移が必ず伴い、作業効率が悪いという問題を解消することができる。
例えば、携帯情報端末２において起動された複数のアプリケーション対応の、各頁の画像データを、表示装置１に送信して表示装置１が備える大型の表示画面１１上に並べて一括表示することができる。更に、携帯情報端末２における表示部１４の画面サイズを超える画像データであっても、表示装置１の大型の表示画面１１上の、指定された位置に表示することができる。
また、携帯情報端末２から送信される画像データが、携帯情報端末２の表示部１４ではスクロールまたは複数頁で表示可能となるデータである場合に、スクロールや複数頁の表示ではなく、表示装置１の大型の表示画面１１に一括表示することができ、画像全体を容易に把握することができる。
【図面の簡単な説明】
【００４６】
【図１】本発明の実施の形態に係る表示システムを示す構成図（ａ）、他の構成図（ｂ）である。
【図２】本発明の実施の形態に係る表示システムの機能を示すブロック図である。
【図３】本発明の実施の形態に係る表示システムの表示領域の配置例を示す図である。
【図４】図３の表示領域の配置例における表示例を示す説明図である。
【図５】本発明の実施の形態に係る表示システムの表示領域の他の配置例を示す説明図である。である。
【図６】本発明の実施の形態に係る表示システムの表示領域のさらに他の配置例を示す説明図である。
【図７】本発明の実施の形態に係る表示システムにおいて表示画像のサイズを変更する前後の状況を示す説明図である。
【符号の説明】
【００４７】
Ａ  表示システム
１  表示装置
２  携帯情報端末
３  専用ケーブル
４、５  端子
６、７  送受光部
８  通信手段
９  記憶手段
１０  表示制御手段
１０ａ  表示領域サイズ設定手段
１０ｂ  表示領域位置設定手段
１１  表示画面
１２  画像メモリ
１３  通信手段
【図１】
2008244555.tif 000003
【図２】
2008244555.tif 000004
【図３】
2008244555.tif 000005
【図４】
2008244555.tif 000006
【図５】
2008244555.tif 000007
【図６】
2008244555.tif 000008
【図７】
2008244555.tif 000009